(57)【要約】【課題】簡単な回路構成でポップノイズを抑制する。【解決手段】パワーダウン状態と増幅状態の２つの動作モードを有する増幅器１４に対して、ノードＮ１０とこの増幅器１４の反転入力端子の間をオン／オフするスイッチ１３と、このノードＮ１０とこの増幅器の出力端子の間をオン／オフするスイッチ１６とを設け、パワーダウン状態が解除されたときに、一定時間だけスイッチ１６をオンにし、その後、スイッチ１６をオフにすると共に、スイッチ１３をオンにする。これにより、スイッチ１６がオンとなっている間にキャパシタ１１が充電されてノードＮ１０が直流動作電位ＶＢまで充電される。従って、スイッチ１３がオンとなって増幅動作が開始されたときに、ポップノイズが発生しない【選択図】図１
2007150534.tif 000002
【特許請求の範囲】
【請求項１】
増幅すべき信号が与えられる第１の入力端子、直流動作電位が与えられる第２の入力端子、増幅した信号を出力する出力端子、及びパワーダウン状態または増幅状態の動作モードを指定する制御信号が与えられる制御端子を有する増幅器と、
入力信号が与えられる入力ノードと第１の内部ノードの間に接続された交流結合用のキャパシタと、
前記第１の内部ノードと第２の内部ノードの間に接続された第１の抵抗と、
前記第２の内部ノードと前記増幅器の第１の入力端子の間に接続され、前記制御信号でパワーダウン状態が指定されているときはオフとなり、増幅状態が指定されたときには所定の遅延時間の後でオンとなる第１のスイッチと、
前記増幅器の出力端子と第１の入力端子の間に接続された第２の抵抗と、
前記増幅器の出力端子と前記第２の内部ノードの間に接続され、前記制御信号で増幅状態が指定されたときに前記所定の遅延時間の間だけオンとなり、それ以外のときはオフとなる第２のスイッチとを、
備えたことを特徴とする増幅回路。
【請求項２】
増幅すべき信号が与えられる第１の入力端子、直流動作電位が与えられる第２の入力端子、増幅した信号を出力する出力端子、及びパワーダウン状態または増幅状態の動作モードを指定する制御信号が与えられる制御端子を有する増幅器と、
入力信号が与えられる入力ノードと第１の内部ノードの間に接続された交流結合用のキャパシタと、
前記第１の内部ノードと第２の内部ノードの間に接続された第１の抵抗と、
前記第２の内部ノードと前記増幅器の第１の入力端子の間に接続され、前記制御信号でパワーダウン状態が指定されているときはオフとなり、増幅状態が指定されたときには所定の遅延時間の後でオンとなる第１のスイッチと、
前記増幅器の出力端子と第１の入力端子の間に接続された第２の抵抗と、
前記増幅器の出力端子と前記第１の内部ノードの間に第３の抵抗を介して接続され、前記制御信号で増幅状態が指定されたときに前記所定の遅延時間の間だけオンとなり、それ以外のときはオフとなる第２のスイッチとを、
備えたことを特徴とする増幅回路。
【請求項３】
増幅すべき信号が与えられる第１の入力端子、直流動作電位が与えられる第２の入力端子、増幅した信号を出力する出力端子、及びパワーダウン状態または通常出力状態または高出力状態の動作モードを指定する制御信号が与えられる制御端子を有する増幅器と、
入力信号が与えられる入力ノードと第１の内部ノードの間に接続された交流結合用のキャパシタと、
前記第１の内部ノードと第２の内部ノードの間に接続された第１の抵抗と、
前記第２の内部ノードと前記増幅器の第１の入力端子の間に接続され、前記制御信号でパワーダウン状態または高出力状態が指定されているときはオフとなり、通常出力状態が指定されたときにはオンとなる第１のスイッチと、
前記増幅器の出力端子と第１の入力端子の間に接続された第２の抵抗と、
前記増幅器の出力端子と前記第１の内部ノードの間に第３の抵抗を介して接続され、前記制御信号で高出力状態が指定されたときにオンとなり、それ以外のときはオフとなる第２のスイッチとを、
パワーダウン信号が与えられたときはパワーダウン状態を指定し、該パワーダウン信号が解除されたときには、一定時間だけ高出力状態を指定し、その後、通常出力状態を指定する前記制御信号を生成するタイミング部とを、
備えたことを特徴とする増幅回路。
【発明の詳細な説明】
【技術分野】
【０００１】
本発明は、オーディオ信号用の増幅回路、特にポップノイズ防止技術に関するものである。
【背景技術】
【０００２】
オーディオ信号用の増幅回路において、直流動作点に差がある複数の回路間で信号の授受を行う場合、直流成分を除去するために、信号経路にキャパシタを挿入して交流結合とすることが一般的である。
【０００３】
交流結合では、回路の動作状態が変化して直流動作点の変化が生じると、結合キャパシタの端子間の電位差が変化し、本来のオーディオ信号ではない充放電電流が流れる。例えば、消費電力を低減したい機器において、オーディオ信号がない無音の時に増幅回路をパワーダウン状態にし、オーディオ信号が入ったときに増幅回路を動作状態に戻すような場合、直流動作点が変化するため“ポン”というようなポップノイズが出力されることがある。
【０００４】
図２は、ポップノイズ対策が施された従来の増幅回路の構成図である。
この増幅回路は、入力信号ＩＮａを増幅する反転増幅部５０ａ、入力信号ＩＮｂを増幅する反転増幅部５０ｂ、これらの反転増幅部５０ａ，５０ｂの出力信号を加算して出力信号ＯＵＴとして出力する加算部６０、及び充電部７０を備えている。
【０００５】
反転増幅部５０ａ，５０ｂは同様の構成で、例えば反転増幅部５０ａに示すように、入力信号ＩＮａが一端に与えられる結合用のキャパシタ５１を有し、このキャパシタ５１の他端がノードＮ５０に接続されている。ノードＮ５０は、抵抗５２及びスイッチ５３を介して増幅器（ＡＭＰ）５４の反転入力端子に接続されている。増幅器５４の非反転入力端子には、通常動作状態における直流動作点に相当するバイアス電圧ＶＢが与えられ、この増幅器５４の出力端子は、抵抗５５を介して反転入力端子に接続されている。
【０００６】
更に、この反転増幅部５０ａのノードＮ５０は、スイッチ５６と抵抗５７を介して、充電部７０に接続されている。充電部７０は、ボルテージフォロワ回路で構成され、バイアス電圧ＶＢを低インピーダンスでバッファリングすることにより、抵抗５７を流れる電流がバイアス電圧ＶＢや、他の反転増幅部に干渉することを防止するものである。
【０００７】
増幅器５４は、パワーダウン信号／ＰＤａによって動作状態の切り替えができるように構成されている。即ち、この増幅器５４は、パワーダウン信号／ＰＤａがレベル“Ｌ”のときに、パワーダウン状態となって増幅動作は行わないが消費電流が低減された状態となり、このパワーダウン信号／ＰＤａがレベル“Ｈ”のときには、通常動作状態となる。
【０００８】
パワーダウン信号／ＰＤａは、スイッチ５３，５６の制御にも使用されるようになっている。即ち、スイッチ５３，５６は、制御信号が“Ｈ”の時にオンとなり、“Ｌ”の時にオフとなるものである。そして、スイッチ５３には、パワーダウン信号／ＰＤａが制御信号として与えられ、スイッチ５６には、パワーダウン信号／ＰＤａがインバータ５８で反転されて制御信号として与えられるようになっている。
【０００９】
一方、加算部６０は、反転増幅部５０ａの出力信号ＯＵＴａと、反転増幅部５０ｂの出力信号ＯＵＴｂとを加算するもので、これらの出力信号ＯＵＴａ，ＯＵＴｂがそれぞれの一端に与えられる抵抗６１ａ，６１ｂを有している。抵抗６１ａ，６１ｂの他端は、増幅器６２の反転入力端子に接続され、この増幅器６２の非反転入力端子には、バイアス電圧ＶＢが与えられている。増幅器６２の出力端子は抵抗６３を介して反転入力端子に接続され、この出力端子から出力信号ＯＵＴが出力されるようになっている。
【００１０】
なお、増幅器６２も、増幅器５４と同様に、パワーダウン信号／ＰＤによって動作状態の切り替えができるように構成されている。パワーダウン信号／ＰＤは、ＯＲゲート６４によってパワーダウン信号／ＰＤａ，／ＰＤｂの論理和が取られて生成されるようになっている。即ち、反転増幅部５０ａ，５０ｂが共にパワーダウン状態になったときに、加算部６０もパワーダウン状態となるように構成されている。
【００１１】
次に動作を説明する。
ここでは、反転増幅部５０ｂが入力信号ＩＮｂのみを増幅している状態から、反転増幅部５０ａが入力信号ＩＮａの増幅を開始する場合について説明する。
【００１２】
反転増幅部５０ａがパワーダウン状態のとき、パワーダウン信号／ＰＤａは“Ｌ”である。従って、スイッチ５３はオフ、スイッチ５６はオン、また増幅器５４はパワーダウン状態である。従って、反転増幅部５０ａのノードＮ５０と増幅器５４の入力側との間は切断されている。一方、ノードＮ５０には、充電部７０から抵抗５７及びスイッチ５６を介して、バイアス電圧ＶＢが与えられている。これにより、ノードＮ５０の電位は、バイアス電圧ＶＢに等しくなっている。また、増幅器５４の反転入力端子は、抵抗５５を介してこの増幅器５４の出力端子に接続され、更にこの出力端子は加算部３０に接続されているので、この反転入力端子の電位は、通常動作状態における直流動作点、即ちバイアス電圧ＶＢに等しくなっている。
【００１３】
ここで、パワーダウン信号／ＰＤａが“Ｈ”に変化すると、スイッチ５３はオン、スイッチ５６はオフ、また増幅器５４は通常動作状態に変化する。これにより、ノードＮ５０は充電部７０から切り離され、抵抗５２とスイッチ５３を介して増幅器５０の反転入力端子に接続される。この時、ノードＮ５０と増幅器５０の反転入力端子の電位は、共にバイアス電圧ＶＢに等しい。従って、増幅器５０の反転入力端子の電位は変化せず、ポップノイズは発生しない。
【００１４】
なお、下記特許文献１には、入力信号路と電源の間に接続されたスイッチング素子と、この入力信号路の電圧に応じて出力トランジスタを制御する出力回路制御手段と、制御端子にこのスイッチング素子をオフにする信号が与えられたときに時定数に応じて時間遅延して出力回路制御手段による出力トランジスタの制御を実行させる遅延制御回路からなる増幅回路が記載されている。
【００１５】
【特許文献１】特開２００４−８８４１９号公報
【発明の開示】
【発明が解決しようとする課題】
【００１６】
しかしながら、前記増幅回路では、充電部７０を常に動作状態としておく必要があるので、消費電流が増加するという課題があった。また、複数の反転増幅部５０を有する場合、充電部７０の出力インピーダンスが高いと、入力信号ＩＮの間で干渉が生ずるおそれがあった。干渉を抑えるには、入力毎にバッファを挿入することが考えられるが、それによる回路の増加及び消費電流の増加という課題がある。更に、増幅回路とバッファのオフセット電圧により、通常動作時の動作点と充電部７０が発生する電位に差が生じ、切り替え時にその差による電圧変化が現れてポップノイズとなるおそれがあった。
【００１７】
本発明は、簡単な回路構成でポップノイズを抑制することを目的としている。
【課題を解決するための手段】
【００１８】
本発明の増幅回路は、増幅すべき信号が与えられる第１の入力端子、直流動作電位が与えられる第２の入力端子、増幅した信号を出力する出力端子、及びパワーダウン状態または増幅状態の動作モードを指定する制御信号が与えられる制御端子を有する増幅器と、入力信号が与えられる入力ノードと第１の内部ノードの間に接続された交流結合用のキャパシタと、前記第１の内部ノードと第２の内部ノードの間に接続された第１の抵抗と、前記第２の内部ノードと前記増幅器の第１の入力端子の間に接続され、前記制御信号でパワーダウン状態が指定されているときはオフとなり、増幅状態が指定されたときには所定の遅延時間の後でオンとなる第１のスイッチと、前記増幅器の出力端子と第１の入力端子の間に接続された第２の抵抗と、前記増幅器の出力端子と前記第２の内部ノードの間に接続され、前記制御信号で増幅状態が指定されたときに前記所定の遅延時間の間だけオンとなり、それ以外のときはオフとなる第２のスイッチを備えたことを特徴としている。
【発明の効果】
【００１９】
本発明では、パワーダウン状態と増幅状態の２つの動作モードを有する増幅器に対して、入力信号が交流結合用のキャパシタと第１の抵抗を介して与えられる第２の内部ノードとこの増幅器の入力端子の間をオン／オフする第１のスイッチと、この第２の内部ノードとこの増幅器の出力端子の間をオン／オフする第２のスイッチとを設け、パワーダウン状態が解除されたときに、一定時間だけ第２のスイッチをオンにし、その後、第２のスイッチをオフにすると共に、第１のスイッチをオンにするように構成している。
【００２０】
これにより、第２のスイッチがオンとなっている間にキャパシタが充電されて第２の内部ノードが直流動作電位まで充電される。従って、第１のスイッチがオンとなって増幅動作が開始されたときに、ポップノイズが発生しないという効果がある。
【発明を実施するための最良の形態】
【００２１】
パワーダウン状態、通常出力状態及び高出力状態の３つの動作モードを有する増幅器を用い、パワーダウン状態が解除されたときに、一定時間だけ高出力状態を指定すると共に、この増幅器の出力端子と第１の内部ノードの間に第３の抵抗を介して接続した第２のスイッチをオンにする。これにより、交流結合用のキャパシタが急速に充電され、第１の内部ノードは直ちに直流動作電位になる。その後、通常出力状態を指定し、第２のスイッチをオフにすると共に、第１のスイッチをオンにする。これにより、短い待ち時間でポップノイズを発生させることなく増幅動作を開始することができる。
【実施例１】
【００２２】
図１は、本発明の実施例１を示す増幅回路の構成図である。
この増幅回路は、入力信号ＩＮａを増幅する反転増幅部１０ａ、入力信号ＩＮｂを増幅する反転増幅部１０ｂ、及びこれらの反転増幅部１０ａ，１０ｂの出力信号ＯＵＴａ，ＯＵＴｂを加算して出力信号ＯＵＴとして出力する加算部３０を備えている。
【００２３】
反転増幅部１０ａ，１０ｂは同様の構成で、例えば反転増幅部１０ａに示すように、入力信号ＩＮａが一端に与えられる結合用のキャパシタ１１を有し、このキャパシタ１１の他端が抵抗１２を介してノードＮ１０に接続されている。ノードＮ１０は、スイッチ１３を介して増幅器１４の反転入力端子に接続されている。増幅器１４の非反転入力端子には、通常動作状態における直流動作点に相当するバイアス電圧ＶＢが与えられている。また、増幅器１４の出力端子は、抵抗１５を介して非反転入力端子に接続されると共に、スイッチ１６を介してノードＮ１０に接続されている。
【００２４】
増幅器１４は、パワーダウン信号／ＰＤａによって動作状態の切り替えができるように構成されている。即ち、この増幅器１４は、パワーダウン信号／ＰＤａが“Ｌ”のときに、パワーダウン状態となって増幅動作は行わないが消費電流が低減された状態となり、このパワーダウン信号／ＰＤａが“Ｈ”のときには、通常動作状態となる。
【００２５】
反転増幅部１０ａは、パワーダウン信号／ＰＤａに基づいて、スイッチ１３，１６に対する制御信号ＳＷ１，ＳＷ２を生成するためのタイミング部２０を有している。このタイミング部２０は、パワーダウン状態が解除されてパワーダウン信号／ＰＤａが“Ｌ”から“Ｈ”に変化したときに、所定の時間だけスイッチ１６をオンにするための制御信号ＳＷ２と、その所定の時間が経過した時点でスイッチ１３をオンにするための制御信号ＳＷ１を生成するものである。
【００２６】
タイミング部２０は、パワーダウン信号／ＰＤａを所定の時間だけ遅延させる遅延素子（ＤＬＹ）２１、この遅延素子２１の出力とパワーダウン信号／ＰＤａの論理積を制御信号ＳＷ１として出力するＡＮＤゲート２２、及び制御信号ＳＷ１をインバータ２３で反転した信号とパワーダウン信号／ＰＤａの論理積を制御信号ＳＷ２として出力するＡＮＤゲート２４で構成されている。
【００２７】
一方、加算部３０は、反転増幅部１０ａの出力信号ＯＵＴａと、反転増幅部１０ｂの出力信号ＯＵＴｂとを加算するもので、これらの出力信号ＯＵＴａ，ＯＵＴｂがそれぞれの一端に与えられる抵抗３１ａ，３１ｂを有している。抵抗３１ａ，３１ｂの他端は、増幅器３２の反転入力端子に接続され、この増幅器３２の非反転入力端子には、バイアス電圧ＶＢが与えられている。増幅器３２の出力端子は抵抗３３を介して反転入力端子に接続され、この出力端子から出力信号ＯＵＴが出力されるようになっている。
【００２８】
この増幅器３２も、増幅器３４と同様に、パワーダウン信号／ＰＤによって動作状態の切り替えができるように構成されている。パワーダウン信号／ＰＤは、ＯＲゲート３４によってパワーダウン信号／ＰＤａ，／ＰＤｂの論理和が取られて生成されるようになっている。即ち、反転増幅部１０ａ，１０ｂが共にパワーダウン状態になったときに、加算部３０もパワーダウン状態となるように構成されている。
【００２９】
図３は、図１の動作を示す信号波形図である。以下、この図３を参照しつつ図１の動作を説明する。
【００３０】
ここでは、反転増幅部１０ｂが入力信号ＩＮｂのみを増幅している状態から、反転増幅部１０ａが入力信号ＩＮａの増幅を開始する場合について説明する。
【００３１】
反転増幅部１０ａがパワーダウン状態のとき、パワーダウン信号／ＰＤａは“Ｌ”である。従って、制御信号ＳＷ１，ＳＷ２は共に“Ｌ”で、スイッチ１３，１６は共にオフ状態である。これにより、増幅器１４はパワーダウン状態である。但し、増幅器１４の反転入力端子は、抵抗１５を介してこの増幅器１４の出力端子に接続され、更にこの出力端子は加算部３０に接続されている。従って、増幅器１４の反転入力端子の電位は、通常動作状態における直流動作点、即ちバイアス電圧ＶＢに等しくなっている。
【００３２】
一方、ノードＮ１０にはキャパシタ１１の他端の電位が現れるが、このノードＮ１０の信号Ｓ１０は、入力信号ＩＮａの電位とキャパシタ１１に充電された電圧の和の電位となる。従って、入力信号ＩＮａが０Ｖで、キャパシタ１１が完全に放電されているとすれば、信号Ｓ１０は０Ｖである。
【００３３】
ここで、パワーダウン信号／ＰＤａが“Ｈ”に変化すると、制御信号ＳＷ２が“Ｈ”となりスイッチ１６はオン状態になる。また、増幅器１４は通常動作状態に変化する。なお、スイッチ１３はオフ状態である。これにより、増幅器１４の反転入力端子は抵抗１５を通して出力端子に接続され、所謂ボルテージフォロワ構成となって出力信号ＯＵＴａはバイアス電圧ＶＢとなる。同時に、キャパシタ１１には、スイッチ１６と抵抗１２を介して出力信号ＯＵＴａが与えられる。そして、時間の経過と共に、キャパシタ１１の他端の電位Ｓ１１はバイアス電圧ＶＢまで充電される。この時、増幅器１４の出力インピーダンスが低ければ、充電電流による出力信号ＯＵＴａの変動は小さく、ポップノイズとして感知されないレベルに抑えられる。
【００３４】
パワーダウン信号／ＰＤａが“Ｈ”に変化した後、所定の時間が経過してキャパシタ１１の他端の電位Ｓ１１がほぼバイアス電圧ＶＢに一致した時点で、制御信号ＳＷ１が“Ｈ”になると共に、制御信号ＳＷ２が“Ｌ”に戻る。これにより、スイッチ１６がオフになり、スイッチ１３がオンとなり、反転増幅部１０ａは通常の動作状態となる。このとき、ノードＮ１０の電位はほぼバイアス電圧ＶＢであるので、増幅器１４の反転入力端子の電位は変化せず、ポップノイズは発生しない。
【００３５】
なお、パワーダウン信号／ＰＤａが“Ｌ”になると、制御信号ＳＷ１，ＳＷ２は共に“Ｌ”となり、スイッチ１３，１６は共にオフ状態となって増幅器１４はパワーダウン状態に移行する。
【００３６】
以上のように、この実施例１の増幅回路は、結合用のキャパシタ１１と増幅器１４の入力端子及び出力端子との間にスイッチ１３，１６を設け、パワーダウン状態でこれらのスイッチ１３，１６をオフ状態に設定し、通常動作に切り替えられた当初にスイッチ１６を所定の時間だけオン状態にしてキャパシタ１１を直流動作点に対応するバイアス電圧ＶＢまで充電し、その後、スイッチ１６をオフにすると共にスイッチ１３をオンにして通常の動作状態に移行するように構成している。これにより、パワーダウン状態において、キャパシタ１１を予め充電しておくための充電部がなくてもポップノイズを抑制することが可能になり、この充電部による消費電流の増加をなくすことができる。
【００３７】
また、通常の増幅動作とキャパシタ１１の充電を同一の増幅器１４で行うため、別の増幅器（例えば、図２の充電部７０）によって充電電位を生成する場合に生じる増幅器のオフセット電圧差による出力レベルの変動も発生しない。
【実施例２】
【００３８】
図４は、本発明の実施例２を示す反転増幅部の構成図である。
この反転増幅部１０Ａは、図１中の反転増幅部１０ａ，１０ｂに代えて設けられるもので、図１中の要素と共通の要素には共通の符号が付されている。
【００３９】
この反転増幅部１０Ａでは、スイッチ１６の一端を増幅器１４の出力端子に接続すると共に、このスイッチ１６の他端を、抵抗１７を介してキャパシタ１１と抵抗１２の接続点に接続するようにしている。その他の構成は、図１中の反転増幅部１０ａ，１０ｂと同様である。
【００４０】
この反転増幅部１０Ａの動作は基本的には図１中の反転増幅部１０ａと同様である。但し、キャパシタ１１に対する充電電流の大きさを決定する抵抗１７を、反転増幅回路を構成するための入力用の抵抗１２とは別に設けている。従って、抵抗１７の値は、抵抗１２の値とは無関係に任意の値に設定することができる。これにより、充電電流によって増幅器１４の出力信号ＯＵＴａが影響を受けない範囲で、抵抗１７の値を小さくすることができるので、実施例１の利点に加えて、充電時間、即ちパワーダウン信号／ＰＤａが“Ｈ”に変化した後、通常動作に切り替えるまでの待ち時間を短縮することができるという利点がある。
【実施例３】
【００４１】
図５は、本発明の実施例３を示す反転増幅部の構成図である。
この反転増幅部１０Ｂは、図１中の反転増幅部１０ａ，１０ｂに代えて設けられるもので、図４中の要素と共通の要素には共通の符号が付されている。
【００４２】
この反転増幅部１０Ｂは、図４中の増幅器１４に代えて、駆動能力の切り替えが可能な増幅器１８を設けたものである。
【００４３】
増幅器１８は、例えば、出力段のトランジスタを並列に２組接続し、駆動能力切替信号によって高出力状態が指定されたときには出力段の２組のトランジスタを同時に駆動し、通常出力状態が指定されたときには１組のトランジスタのみを駆動するように構成したものである。なお、駆動能力切替信号として、制御信号ＳＷ２が与えられるようになっている。その他の構成は、図４と同様である。
【００４４】
この反転増幅部１０Ｂの動作は基本的には図４の反転増幅部１０Ａと同様である。但し、充電時間、即ちパワーダウン信号／ＰＤａが“Ｈ”に変化した後、通常動作に切り替えるまでの制御信号ＳＷ２が“Ｈ”となってスイッチ１６がオンとなる期間、増幅器１８の駆動能力が高出力となる。これにより、更に短時間でキャパシタ１１を充電することが可能になる。その後、制御信号ＳＷ２が“Ｌ”に戻ると、増幅器１８は通常出力となり通常の増幅動作が行われる。
【００４５】
以上のように、この実施例３の反転増幅部１０Ｂは、充電期間に駆動能力が高くなり、充電期間が終了したときに通常の駆動能力となる増幅器１８を設けているので、実施例１と同様の利点に加えて、通常動作に切り替えるまでの待ち時間を更に短縮することができるという利点がある。
【００４６】
なお、本発明は、上記実施例に限定されず、種々の変形が可能である。この変形例としては、例えば、次のようなものがある。
（１）  並列に接続される反転増幅部１０の数は任意である。例えば、１個の場合は、加算部３０は不要である。
（２）  タイミング部２０の回路は一例であり、同様の制御信号ＳＷ１，ＳＷ２を出力できるものであれば良い。また、このタイミング部２０は、反転増幅部１０内に設けずに外部から制御信号ＳＷ１，ＳＷ２を与えるように構成することができる。
（３）  スイッチ１６に直列に接続された抵抗１７は、独立した抵抗素子である必要はなく、スイッチ１６を構成するトランジスタ等のオン抵抗を利用することができる。
【図面の簡単な説明】
【００４７】
【図１】本発明の実施例１を示す増幅回路の構成図である。
【図２】従来の増幅回路の構成図である。
【図３】図１の動作を示す信号波形図である。
【図４】本発明の実施例２を示す反転増幅部の構成図である。
【図５】本発明の実施例３を示す反転増幅部の構成図である。
【符号の説明】
【００４８】
１０，１０Ａ，１０Ｂ    反転増幅部
１１    キャパシタ
１２，１５，１７，３１，３３    抵抗
１３，１６    スイッチ
１４，１８，３２    増幅器
２０    タイミング部
３０    加算部
【図１】
2007150534.tif 000003
【図２】
2007150534.tif 000004
【図３】
2007150534.tif 000005
【図４】
2007150534.tif 000006
【図５】
2007150534.tif 000007